(57)【要約】  各室外機の過熱度が目標要件に達しているか否かを検出するＳ１０ステップと、達している場合、各室外機の平均排気温度と室外機システムの平均排気温度との差分値が所定値に達しているか否かを判断するステップＳ２０と、達している場合、各前記室外機の平均排気温度と前記室外機システムの平均排気温度との大きさを比較するステップＳ３０と、各室外機の平均排気温度と室外機システムの平均排気温度との大きさの結果に基づいて、電子膨張弁の動作を制御して、各室外機の平均排気温度を室外機システムの平均排気温度に近づかせるステップＳ４０と、を含むマルチ式空気調和機の制御方法である。電子膨張弁の開度を制御することによって、マルチ式空気調和機システムにおいて冷媒の分配が均一でないという問題が解決され、システムの排気温度が効果的に制御される。マルチ式空気調和機システムおよびコンピュータ読み取り可能な記憶媒体がさらに開示される。
2020514664.tif 000002
【特許請求の範囲】
【請求項１】
少なくとも２台の室外機を含むマルチ式空気調和機の制御方法であって、各前記室外機はそれぞれ少なくとも１つの圧縮機を含み、少なくとも２台の前記室外機によって室外機システムを構成し、前記マルチ式空気調和機の制御方法は、
各前記室外機の過熱度が目標要件に達しているか否かを検出するステップと、
各前記室外機の過熱度が目標要件に達している場合、各前記室外機の平均排気温度と前記室外機システムの平均排気温度との差分値が所定値に達しているか否かを判断するステップと、
各前記室外機の平均排気温度と前記室外機システムの平均排気温度との差分値が所定値に達している場合、各前記室外機の平均排気温度と前記室外機システムの平均排気温度との大きさを比較するステップと、
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップと、を含む、
ことを特徴とするマルチ式空気調和機の制御方法。
【請求項２】
前記マルチ式空気調和機の制御方法は、
各前記室外機の平均排気温度と前記室外機システムの平均排気温度との差分値が所定値に達している場合、各前記室外機の電子膨張弁が位置する経路の過熱度が第１所定値より大きいか否かについての第２判断を行うステップと、
各前記室外機の電子膨張弁が位置する経路の過熱度が第１所定値より大きい場合、各前記室外機の平均排気温度と前記室外機システムの平均排気温度との大きさを比較するステップと、をさらに含む。
ことを特徴とする請求項１に記載のマルチ式空気調和機の制御方法。
【請求項３】
各前記室外機の平均排気温度と前記室外機システムの平均排気温度との大きさの結果に基づいて、対応する電子膨張弁の動作を制御するステップは、
各前記室外機の平均排気温度が室外機システムの平均排気温度より大きいか否かについての第３判断を行うことと、
第３判断の結果として、各前記室外機の平均排気温度が室外機システムの平均排気温度より「大きい」場合、対応する電子膨張弁の開度を増加し、第３判断の結果として、各前記室外機の平均排気温度が室外機システムの平均排気温度より「大きくない」場合、対応する電子膨張弁の開度を減少することと、を含む、
ことを特徴とする請求項２に記載のマルチ式空気調和機の制御方法。
【請求項４】
前記マルチ式空気調和機は、２台の室外機を含み、
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
２台の前記室外機のうち平均排気温度の高いほうの室外機の電子膨張弁の開度が最大開度より大きいか否かを判断することと、
前記電子膨張弁の開度が最大開度より小さい場合、現在の開度から開度を増加するように前記電子膨張弁を制御することと、を含む、
ことを特徴とする請求項１に記載のマルチ式空気調和機の制御方法。
【請求項５】
前記マルチ式空気調和機は、２台の室外機を含み、
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
２台の前記室外機のうち平均排気温度の低いほうの室外機の電子膨張弁の開度が最小開度より大きいか否かを判断することと、
前記電子膨張弁の開度が最小開度より大きい場合、現在の開度から開度を減少するように前記電子膨張弁を制御することと、を含む、
ことを特徴とする請求項１に記載のマルチ式空気調和機の制御方法。
【請求項６】
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
平均排気温度が前記室外機システムの平均排気温度より高い室外機の電子膨張弁の開度が最大開度より大きいか否かを判断することと、
前記電子膨張弁の開度が最大開度より小さい場合、現在の開度から開度を増加するように前記電子膨張弁を制御することと、を含む、
ことを特徴とする請求項１に記載のマルチ式空気調和機の制御方法。
【請求項７】
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
平均排気温度が前記室外機システムの平均排気温度より低い室外機の電子膨張弁の開度が最小開度より大きいか否かを判断することと、
前記電子膨張弁の開度が最小開度より大きい場合、現在の開度から開度を減少するように前記電子膨張弁を制御することと、を含む、
ことを特徴とする請求項１に記載のマルチ式空気調和機の制御方法。
【請求項８】
各前記室外機の過熱度が目標要件に達しているか否かを検出するステップは、
各前記室外機の排気温度を取得することと、
取得された排気温度に基づいて比較してすべての前記室外機の最低排気温度を取得することと、
前記最低排気温度に対応する室外機の過熱度が目標要件に達しているか否かを検出することと、を含む、
ことを特徴とする請求項１に記載のマルチ式空気調和機の制御方法。
【請求項９】
各前記室外機の平均排気温度と前記室外機システムの平均排気温度との差分値が所定値に達しているか否かを判断するステップは、
各前記室外機の平均排気温度および前記室外機システムの平均排気温度を取得することと、
各前記室外機の平均排気温度および前記室外機システムの平均排気温度に基づいて、各前記室外機の平均排気温度と前記室外機システムの平均排気温度との差分値の絶対値を取得することと、
前記絶対値が所定値に達しているか否かを判断することと、を含む、
ことを特徴とする請求項１に記載のマルチ式空気調和機の制御方法。
【請求項１０】
各前記室外機の電子膨張弁が位置する経路の過熱度が第１所定値より大きいか否かについての第２判断を行うステップの後に、
各前記室外機の電子膨張弁が位置する経路の過熱度が第１所定値以下である場合、前記電子膨張弁が位置する経路の過熱度が第２所定値より小さいか否かを判断するステップと、
前記電子膨張弁が位置する経路の過熱度が前記第２所定値より小さい場合、電子膨張弁の現在の開度をそのまま維持するステップと、をさらに含む、
ことを特徴とする請求項３に記載のマルチ式空気調和機の制御方法。
【請求項１１】
第３判断の結果として、各前記室外機の平均排気温度が室外機システムの平均排気温度より「大きい」場合における、対応する電子膨張弁の開度を増加することは、
第３判断の結果として、各前記室外機の平均排気温度が室外機システムの平均排気温度より「大きい」場合、前記室外機の電子膨張弁の開度が最大開度より小さいか否かを判断することと、
前記室外機の電子膨張弁の開度が最大開度より小さい場合、現在の開度から開度を増加するように前記電子膨張弁を制御することと、を含む、
ことを特徴とする請求項３に記載のマルチ式空気調和機の制御方法。
【請求項１２】
第３判断の結果として、各前記室外機の平均排気温度が室外機システムの平均排気温度より「大きくない」場合における、対応する電子膨張弁の開度を減少することは、
第３判断の結果として、各前記室外機の平均排気温度が室外機システムの平均排気温度より「大きくない」場合、前記室外機の電子膨張弁の開度が最小開度より小さいか否かを判断することと、
前記室外機の電子膨張弁の開度が最小開度より大きい場合、現在の開度から開度を減少するように前記電子膨張弁を制御することと、を含む、
ことを特徴とする請求項３に記載のマルチ式空気調和機の制御方法。
【請求項１３】
前記マルチ式空気調和機の制御方法は、
各前記室外機の圧縮機の排気温度を取得するステップと、
各前記室外機の圧縮機の排気温度が所定範囲にあるか否かを判断するステップと、
前記室外機の圧縮機の排気温度が所定範囲を超える場合、故障信号を発するステップと、をさらに含む、
ことを特徴とする請求項１〜１２のいずれか一項に記載のマルチ式空気調和機の制御方法。
【請求項１４】
少なくとも２台の室外機を含むマルチ式空気調和機システムであって、各前記室外機はそれぞれ少なくとも１つの圧縮機を含み、少なくとも２台の前記室外機によって室外機システムを構成し、前記室外機は、室外機の配管に接続された方向制御弁、室外熱交換器、気液分離器、電子膨張弁、高圧遮断弁および低圧遮断弁をさらに含み、
前記マルチ式空気調和機システムは、メモリと、プロセッサと、前記メモリに記憶され前記プロセッサで実行可能なマルチ式空気調和機の制御プログラムとをさらに含み、前記マルチ式空気調和機の制御プログラムが前記プロセッサによって実行される場合、請求項１〜１３のいずれか一項に記載のマルチ式空気調和機の制御方法のステップが実現される、
ことを特徴とするマルチ式空気調和機システム。
【請求項１５】
マルチ式空気調和機の制御プログラムが記憶されているコンピュータ読み取り可能な記憶媒体であって、
前記マルチ式空気調和機の制御プログラムがプロセッサによって実行される場合、請求項１〜１３のいずれか一項に記載のマルチ式空気調和機の制御方法のステップが実現される、
ことを特徴とするコンピュータ読み取り可能な記憶媒体。
【発明の詳細な説明】
【技術分野】
【０００１】
本発明は、電子機器の技術分野に関し、特に、マルチ式空気調和機の制御方法、マルチ式空気調和機システムおよびコンピュータ読み取り可能な記憶媒体に関する。
（関連書類の相互参照）
本願は、中国特許出願第２０１７１０８４６７８１．Ｘ号及び中国特許出願第２０１７１０８４８８７７．Ｘ号を基礎出願として、当該基礎出願に基づいて優先権を主張するものである。
【背景技術】
【０００２】
マルチ式空気調和機ユニット、特に並列接続されたマルチ式空気調和機ユニットは、実際の使用中に、取付位置、取付配管、室外機間の距離および落差などの影響を受け、冷媒が室外機間で均一に分配されず、室外機の稼動が異常になりやすく、冷媒の多い室外機では、液体が戻る可能性があり、冷媒の少ない室外機は、排気温度が高めであるため、オイル不足で摩損する可能性があり、深刻な場合に室外機の損壊や圧縮機の毀損などになる。
【０００３】
異なる容量の室外機の場合、並列接続時の取付配管の管径および対応する弁の制御方法によって冷媒をなるべく均一になるように分配する。一方、同一容量の複数台の室外機が並列接続される場合、その配管の管径および弁の制御が完全に同一であるため、室外機が取付位置、室外機間の距離および落差などの影響を受けて、冷媒が室外機間で均一に分配されず、上記の結果が生じる可能性があり、冷房システムの信頼性が低い。
【発明の概要】
【発明が解決しようとする課題】
【０００４】
本発明の主な目的は、マルチ式空気調和機システムの室外機間で冷媒の分配が均一でないという問題を解決するマルチ式空気調和機の制御方法、マルチ式空気調和機システムおよびコンピュータ読み取り可能な記憶媒体を提供することである。
【課題を解決するための手段】
【０００５】
上記の目的を達成するために、本発明は、少なくとも２台の室外機を含むマルチ式空気調和機の制御方法を提供し、各前記室外機はそれぞれ少なくとも１つの圧縮機を含み、少なくとも２台の前記室外機によって室外機システムを構成し、前記マルチ式空気調和機の  制御方法は、
各前記室外機の過熱度が目標要件に達しているか否かを検出するステップと、
各前記室外機の過熱度が目標要件に達している場合、各前記室外機の平均排気温度と前記室外機システムの平均排気温度との差分値が所定値に達しているか否かを判断するステップと、
各前記室外機の平均排気温度と前記室外機システムの平均排気温度との差分値が所定値に達している場合、各前記室外機の平均排気温度と前記室外機システムの平均排気温度との大きさを比較するステップと、
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップと、を含む。
【０００６】
前記マルチ式空気調和機の制御方法は、
各前記室外機の平均排気温度と前記室外機システムの平均排気温度との差分値が所定値に達している場合、各前記室外機の電子膨張弁が位置する経路の過熱度が第１所定値より大きいか否かについての第２判断を行うステップと、
各前記室外機の電子膨張弁が位置する経路の過熱度が第１所定値より大きい場合、各前記室外機の平均排気温度と前記室外機システムの平均排気温度との大きさを比較するステップと、をさらに含むことが好ましい。
【０００７】
各前記室外機の平均排気温度と前記室外機システムの平均排気温度との大きさの結果に基づいて、対応する電子膨張弁の動作を制御するステップは、
各前記室外機の平均排気温度が室外機システムの平均排気温度より大きいか否かについての第３判断を行うステップと、
第３判断の結果が「大きい」である場合、対応する電子膨張弁の開度を増加し、第３判断の結果が「大きくない」である場合、対応する電子膨張弁の開度を減少するステップと、を含むことが好ましい。
【０００８】
本発明のマルチ式空気調和機の制御方法は、各前記室外機の過熱度が目標要件に達しているか否かを検出し、各前記室外機の過熱度が目標要件に達している場合、各前記室外機の平均排気温度と前記室外機システムの平均排気温度との差分値が所定値に達しているか否かについての第１判断を行い、各前記室外機の平均排気温度と前記室外機システムの平均排気温度との差分値が所定値に達している場合、各前記室外機の電子膨張弁が位置する経路の過熱度が第１所定値より大きいか否かについての第２判断を行い、各前記室外機の電子膨張弁が位置する経路の過熱度が第１所定値より大きい場合、各前記室外機の平均排気温度が室外機システムの平均排気温度より大きいか否かについての第３判断を行い、第３判断の結果が「大きい」である場合、前記電子膨張弁の開度を増大させ、第３判断の結果が「大きくない」である場合、前記電子膨張弁の開度を減少する。本発明の方法により、マルチ式空気調和機システムにおいて冷媒の分配が均一でない問題が解決され、特に、ジェットエンタルピー増加マルチ式空気調和機システムにおいてジェット電子膨張弁の開度を制御することによってシステムの排気温度を効果的に制御することが実現される。
【０００９】
前記マルチ式空気調和機は、２台の室外機を含み、各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
２台の前記室外機のうち平均排気温度の高いほうの室外機の電子膨張弁の開度が最大開度より大きいか否かを判断するステップと、
前記電子膨張弁の開度が最大開度より小さい場合、現在の開度から開度を増加するように前記電子膨張弁を制御するステップと、を含むことが好ましい。
【００１０】
前記マルチ式空気調和機は、２台の室外機を含み、各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
２台の前記室外機のうち平均排気温度の低いほうの室外機の電子膨張弁の開度が最小開度より大きいか否かを判断するステップと、
前記電子膨張弁の開度が最小開度より大きい場合、現在の開度から減少するように前記電子膨張弁の開度を制御するステップと、を含むことが好ましい。
【００１１】
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
平均排気温度が前記室外機システムの平均排気温度より高い室外機の電子膨張弁の開度が最大開度より大きいか否かを判断するステップと、
前記電子膨張弁の開度が最大開度より小さい場合、現在の開度から開度を増加するように前記電子膨張弁を制御するステップと、を含むことが好ましい。
【００１２】
各前記室外機の平均排気温度と前記室外機システムの平均排気温度との大きさの結果に基づいて、対応する電子膨張弁の動作を制御して、各前記室外機の平均排気温度を前記室外機システムの平均排気温度に近づかせるステップは、
平均排気温度が前記室外機システムの平均排気温度より低い室外機の電子膨張弁の開度が最小開度より大きいか否かを判断するステップと、
前記電子膨張弁の開度が最小開度より大きい場合、現在の開度から開度を減少するように前記電子膨張弁を制御するステップと、を含むことが好ましい。
【００１３】
各前記室外機の過熱度が目標要件に達しているか否かを検出するステップは、
各前記室外機の排気温度を取得するステップと、
取得された排気温度に基づいて比較して、すべての前記室外機の最低排気温度を取得するステップと、
前記最低排気温度に対応する室外機の過熱度が目標要件に達しているか否かを検出するステップと、を含むことが好ましい。
【００１４】
各前記室外機の平均排気温度と前記室外機システムの平均排気温度との差分値が所定値に達しているか否かを判断するステップは、
各前記室外機の平均排気温度および前記室外機システムの平均排気温度を取得するステップと、
各前記室外機の平均排気温度および前記室外機システムの平均排気温度に基づいて、各前記室外機の平均排気温度と前記室外機システムの平均排気温度との差分値の絶対値を取得するステップと、
前記絶対値が所定値に達しているか否かを判断するステップと、を含むことが好ましい。
【００１５】
各前記室外機の電子膨張弁が位置する経路の過熱度が第１所定値より大きいか否かについての第２判断を行うステップの後に、
各前記室外機の電子膨張弁が位置する経路の過熱度が第１所定値以下である場合、前記電子膨張弁が位置する経路の過熱度が第２所定値より小さいか否かを判断するステップと、
前記電子膨張弁が位置する経路の過熱度が前記第２所定値より小さい場合、電子膨張弁の現在の開度をそのまま維持するステップと、をさらに含むことが好ましい。
【００１６】
第３判断の結果が「大きい」である場合、対応する電子膨張弁の開度を増加するステップは、
第３判断の結果が「大きい」である場合、前記室外機の電子膨張弁の開度が最大開度より小さいか否かを判断するステップと、
前記室外機の電子膨張弁の開度が最大開度より小さい場合、現在の開度から開度を増加するように前記電子膨張弁を制御するステップと、を含むことが好ましい。
【００１７】
第３判断の結果が「大きくない」である場合、対応する電子膨張弁の開度を減少するステップは、
第３判断の結果が「大きくない」である場合、前記室外機の電子膨張弁の開度が最小開度より小さいか否かを判断するステップと、
前記室外機の電子膨張弁の開度が最小開度より大きい場合、現在の開度から開度を減少するように前記電子膨張弁を制御するステップと、を含むことが好ましい。
【００１８】
前記マルチ式空気調和機の制御方法は、
各前記室外機の圧縮機の排気温度を取得するステップと、
各前記室外機の圧縮機の排気温度が所定範囲にあるか否かを判断するステップと、
前記室外機の圧縮機の排気温度が所定範囲を超える場合、故障信号を発するステップと、をさらに含むことが好ましい。
【００１９】
また、上記の目的を実現するために、本発明は、少なくとも２台の室外機を含むマルチ式空気調和機システムをさらに提供し、各前記室外機はそれぞれ少なくとも１つの圧縮機を含み、少なくとも２台の前記室外機によってシステムを構成し、前記室外機は、室外機の配管に接続された方向制御弁、室外熱交換器、気液分離器、電子膨張弁、高圧遮断弁および低圧遮断弁をさらに含み、前記マルチ式空気調和機システムは、メモリと、プロセッサと、前記メモリに記憶され前記プロセッサで実行可能なマルチ式空気調和機の制御プログラムとをさらに含み、前記マルチ式空気調和機の制御プログラムが前記プロセッサによって実行される場合、上記の方法のステップが実現される。
【００２０】
また、上記の目的を実現するために、本発明は、マルチ式空気調和機の制御プログラムが記憶されているコンピュータ読み取り可能な記憶媒体をさらに提供し、前記マルチ式空気調和機の制御プログラムがプロセッサによって実行される場合、上記のマルチ式空気調和機の制御方法のステップが実現される。
【発明の効果】
【００２１】
本発明のマルチ式空気調和機の制御方法は、各前記室外機の過熱度が目標要件に達しているか否かを検出し、各前記室外機の過熱度が目標要件に達している場合、各前記室外機の平均排気温度と前記室外機システムの平均排気温度との差分値が所定値に達しているか否かを判断し、各前記室外機の平均排気温度と前記室外機システムの平均排気温度との差分値が所定値に達している場合、各前記室外機の平均排気温度と前記室外機システムの平均排気温度との大きさを比較し、各前記室外機の平均排気温度と前記室外機システムの平均排気温度との大きさの結果に基づいて、電子膨張弁の動作を制御して、各前記室外機の平均排気温度を前記室外機システムの平均排気温度に近づかせる。本実施例の方法によれば、電子膨張弁の開度を制御することによって、マルチ式空気調和機システムにおいて冷媒の分配が均一でない問題が解決され、特にマルチ式空気調和機システムにおいてシステムの排気温度を効果的に制御することが実現される。
【図面の簡単な説明】
【００２２】
【図１】本発明の一実施例に係るマルチ式空気調和機システムの概略構成図である。
【図１Ａ】本発明の別の実施例に係るマルチ式空気調和機システムの概略構成図である。
【図２】本発明のマルチ式空気調和機の制御方法の実施例１の概略フローチャートである。
【図２Ａ】本発明の別の態様のマルチ式空気調和機の制御方法の実施例１の概略フローチャートである。
【図３】本発明のマルチ式空気調和機の制御方法の実施例２の概略フローチャートである。
【図４】本発明のマルチ式空気調和機の制御方法の実施例３の概略フローチャートである。
【図４Ａ】本発明の別の態様のマルチ式空気調和機の制御方法の実施例３の概略フローチャートである。
【図５】本発明のマルチ式空気調和機の制御方法の実施例４の概略フローチャートである。
【図５Ａ】本発明の別の態様のマルチ式空気調和機の制御方法の実施例４の概略フローチャートである。
【図６】本発明のマルチ式空気調和機の制御方法の実施例５の概略フローチャートである。
【図７】本発明のマルチ式空気調和機の制御方法の実施例６の概略フローチャートである。
【図８】本発明のマルチ式空気調和機の制御方法の実施例７の概略フローチャートである。
【図９】本発明のマルチ式空気調和機の制御方法の一実施例の概略フローチャートである。
【図１０】本発明のマルチ式空気調和機システムのモジュールの概略図である。
【００２３】
本発明の目的の実現、機能的な特徴および利点について、実施例と合わせて、添付図面を参照してさらに説明する。
【発明を実施するための形態】
【００２４】
なお、ここで説明される具体的な実施例は、単に本発明を解釈するためのものであり、本発明を限定するものではないと理解されるべきである。
【００２５】
本発明は、マルチ式空気調和機の制御方法を提供する。前記方法は、前記マルチ式空気調和機システムに適用される。前記マルチ式空気調和機システムは、並列接続された少なくとも２台の室外機と、並列に接続された少なくとも２台の室内機とを含む。前記室内機と前記室外機とは、一対一で直列接続される。前記室外機は、１台、２台または複数台の圧縮機１０から構成される圧縮機ユニットを含む。前記室外機の配管構造は、気液分離器２０、圧縮機ユニット、室外熱交換器３０、方向制御弁４０、電子膨張弁５０、高圧遮断弁６０および低圧遮断弁７０を含む。前記方向制御弁４０は、四方弁である。室外機の配管の接続方式は、本分野の通常の接続方式であり、図１を参照されたく、ここでは説明を省略する。
【００２６】
実施例１において、図２に示すように、前記マルチ式空気調和機の制御方法は、下記のステップＳ１０〜ステップＳ４０を含む。
【００２７】
ステップＳ１０において、各前記室外機の過熱度が目標要件に達しているか否かを検出する。
【００２８】
本実施例において、まず、各前記室外機の過熱度が目標要件に達しているか否かを検出して、各前記室外機の圧縮機が通常稼動状態にあるか否かを判断する。前記室外機の過熱度が目標値より高い場合、冷媒が流れる配管の抵抗力が異なるか、または室内の負荷が異なることによって室外機の過熱度が高すぎになり、室外機の圧縮機が過負荷状態になる可能性がある。この場合、まず冷媒の流れる量を調整して室外機の過熱度が目標値に達するようにする。次に、前記室外機の過熱度が目標値より小さい場合、冷媒が気液２相の状態で圧縮機に流れ込んで圧縮機に損害を与える可能性がある。したがって、冷媒が気液２相の状態で圧縮機に流れ込んでシステム全体に損害を与えることを避けるために、まず圧縮機の冷媒の流れ量を減らす必要がある。各前記室外機の過熱度が目標要件に達している場合に限って、次の動作に進むが、そうでなければ、まず、目標要件に達するように圧縮機の過熱度を調整する必要がある。
【００２９】
ステップＳ２０において、各前記室外機の過熱度が目標要件に達している場合、各前記室外機の平均排気温度と前記室外機システムの平均排気温度との差分値が所定値に達しているか否かを判断する。
【００３０】
各前記室外機の過熱度が目標要件に達している場合、さらに、各前記室外機の平均排気温度と前記室外機システムの平均排気温度との差分値が所定値に達しているか否かを判断する。当該所定値は、必要に応じて設定されてもよい。各前記室外機の平均排気温度と前記室外機システムの平均排気温度との差分値が所定値以内にあると、この場合に各前記室外機の平均排気温度と前記室外機システムの平均排気温度との差分が大きくなく、許容可能な変動範囲内にあることを表し、この場合に室外機の稼動を調整する必要がない。しかし、各室外機の平均排気温度と室外機システムの平均排気温度との差分値が所定値を超えると、この場合に各室外機の平均排気温度が室外機システムの平均排気温度から大きく離れ、室外機の通常稼動に影響しうることを表す。したがって、室外機システムの平均排気温度に近づくように各室外機の排気温度を調整する措置を取る必要がある。
【００３１】
ステップＳ３０において、各前記室外機の平均排気温度と前記室外機システムの平均排気温度との差分値が所定値に達している場合、各前記室外機の平均排気温度と前記室外機システムの平均排気温度との大きさを比較する。
【００３２】
さらに、各前記室外機の圧縮機の排気温度を取得し、前記室外機システムの平均排気温度を算出する。
【００３３】
ここで、各前記室外機の平均排気温度は、各前記室外機内のすべての圧縮機の排気温度の平均値である。３台の室外機がある場合、３台の室外機の平均排気温度をＴＰ１、ＴＰ２およびＴＰ３とし、各室外機は、それぞれ２台の圧縮機を含み、圧縮機の排気温度を、それぞれＴＰ１Ｃ１、ＴＰ１Ｃ２、ＴＰ２Ｃ１、ＴＰ２Ｃ２、ＴＰ３Ｃ１、ＴＰ３Ｃ２とすると、３台の前記室外機の平均排気温度は、ＴＰ１＝ＴＰ１Ｃ１＋ＴＰ１Ｃ２）／２、ＴＰ２＝（ＴＰ２Ｃ１＋ＴＰ２Ｃ２）／２、ＴＰ３＝（ＴＰ３Ｃ１＋ＴＰ３Ｃ２）／２である。前記室外機システムの平均排気温度は、３台の室外機の平均排気温度の平均値である。前記室外機システムの平均排気温度をＴＰとすると、ＴＰ＝（ＴＰ１＋ＴＰ２＋ＴＰ３）／３である。
【００３４】
ステップＳ４０において、各前記室外機の平均排気温度と前記室外機システムの平均排気温度との大きさの結果に基づいて、前記電子膨張弁の動作を制御して、各前記室外機の平均排気温度を前記室外機システムの平均排気温度に近づかせる。
【００３５】
さらに、算出された各前記室外機の平均排気温度を比較する。具体的に、室外機が２台しかない場合、直接に２台の室外機の算出された平均排気温度を比較し、平均排気温度の高いほうの室外機について、その電子膨張弁の開度を大きくしてその内部の冷媒を増やして、その排気温度を低下させる。平均排気温度の低いほうの室外機について、その電子膨張弁の開度を小さくしてその内部の冷媒を減らして、その排気温度を上昇させる。当然、複数台の室外機が存在する場合、２つずつ比較する方法が、複雑であるため、この場合、直接に各室外機の平均排気温度に基づいて室外機システム全体の平均排気温度を算出し、各室外機の平均排気温度と室外機システムの平均排気温度とを比較し、その大きさに基づいて電子膨張弁の開度の度合いを調整して、室外機の排気温度を室外機システム全体の平均排気温度に近づかせる。そして室外機システム全体において冷媒の分配が均一であることが実現される。
【００３６】
本実施例において、各前記室外機の過熱度が目標要件に達しているか否かを検出し、各前記室外機の過熱度が目標要件に達している場合、各前記室外機の平均排気温度と前記室外機システムの平均排気温度との差分値が所定値に達しているか否かを判断し、各前記室外機の平均排気温度と前記室外機システムの平均排気温度との差分値が所定値に達している場合、各前記室外機の平均排気温度を取得し、前記室外機システムの平均排気温度を算出し、各前記室外機の平均排気温度と前記室外機システムの平均排気温度との大きさを比較し、各前記室外機の平均排気温度と前記室外機システムの平均排気温度との大きさの結果に基づいて、前記電子膨張弁の動作を制御して、各前記室外機の平均排気温度を前記室外機システムの平均排気温度に近づかせる。本実施例の方法によれば、電子膨張弁の開度を制御することによって、マルチ式空気調和機システムにおいて冷媒の分配が均一でない問題が解決され、特に、ジェットエンタルピー増加マルチ式空気調和機システムにおいてシステムの排気温度を効果的に制御することが実現される。
【００３７】
さらに、図３に示すように、本発明のマルチ式空気調和機の制御方法の実施例１を基に、本発明のマルチ式空気調和機の制御方法の実施例２において、上記ステップＳ４０は、
２台の前記室外機のうち平均排気温度の高いほうの室外機の電子膨張弁の開度が最大開度より小さいか否かを判断するステップＳ４１ａと、
前記電子膨張弁の開度が最大開度より小さい場合、現在の開度から開度を増加するように前記電子膨張弁を制御するステップＳ４１ｂと、を含む。
【００３８】
本実施例において、前記マルチ式空気調和機の室外機が２台しかない。室外機が２台しかない場合、直接に２台の室外機の平均排気温度の大きさを比較して電子膨張弁の開度を調整する。
【００３９】
具体的には、２台の室外機の平均排気温度を算出し、２台の室外機の平均排気温度の大きさを比較する。さらに当該平均排気温度の大きいほうの室外機の電子膨張弁の現在の開度がその達成可能な最大開度に達しているか否かを判断する。前記電子膨張弁がその達成可能な最大開度に達している場合、この場合に当該電子膨張弁の開度をこれ以上増加することができないことを表す。したがって、電子膨張弁の現在の開度が最大開度に達していない場合に限って、開度を増加するように電子膨張弁を制御することができる。
【００４０】
したがって、電子膨張弁が最大開度に達していないと検出された場合、現在の開度から開度を増加するように電子膨張弁を制御して、当該室外機の圧縮機の冷媒の流れ量を増大させてその排気温度を低下させる。
【００４１】
本実施例において、室外機が２台しかない場合、直接に２台の室外機の平均排気温度の大きさを比較し、平均排気温度の高いほうの室外機の電子膨張弁の開度が最大開度に達しているか否かを判断することによって、当該電子膨張弁を引き続き開くことができか否かを判断する。これにより、電子膨張弁の制御の正確さを向上するとともに、電子膨張弁およびシステム全体を保護する作用を奏する。
【００４２】
さらに、図４に示すように、本発明のマルチ式空気調和機の制御方法の実施例２を基に、本発明のマルチ式空気調和機の制御方法の実施例３において、上記のステップＳ４０は、
２台の前記室外機のうち平均排気温度の低いほうの室外機の電子膨張弁の開度が最小開度より大きいか否かを判断するステップＳ４２ａと、
前記電子膨張弁の開度が最小開度より大きい場合、現在の開度から開度を減少するように前記電子膨張弁を制御するステップＳ４２ｂと、を含む。
【００４３】
本実施例において、前記マルチ式空気調和機の室外機が２台しかない。室外機が２台しかない場合、直接に２台の室外機の平均排気温度の大きさを比較して電子膨張弁の開度を調整する。
【００４４】
具体的には、２台の室外機の平均排気温度を算出し、２台の室外機の平均排気温度の大きさを比較する。さらに当該平均排気温度の小さいほうの室外機の電子膨張弁の現在の開度がその達成可能な最小開度に達しているか否かを判断する。前記電子膨張弁がその達成可能な最小開度に達している場合、この場合に当該電子膨張弁の開度がこれ以上減少することができないことを表す。したがって、電子膨張弁の現在の開度が最小開度に達していない場合に限って、開度を減少するように電子膨張弁を制御することができる。
【００４５】
したがって、電子膨張弁がまだ最小開度に達していないと検出された場合、現在の開度から開度を減少するように電子膨張弁を制御して、当該室外機の圧縮機の冷媒の流れる量を減らしてその排気温度を上昇させる。
【００４６】
本実施例において、室外機が２台しかない場合、直接に２台の室外機の平均排気温度の大きさを比較し、平均排気温度の低いほうの室外機の電子膨張弁の開度が最小開度に達しているか否かを判断することによって、当該電子膨張弁を引き続き開くことができるか否かを判断する。これにより、電子膨張弁の制御の正確さを向上するとともに、電子膨張弁およびシステム全体を保護する作用を奏する。
【００４７】
さらに、図５に示すように、本発明のマルチ式空気調和機の制御方法の実施例４において、上記のステップＳ４０は、
平均排気温度が前記室外機システムの平均排気温度より高い室外機の電子膨張弁の開度が最大開度より大きいか否かを判断するステップＳ４３ａと、
前記電子膨張弁の開度が最大開度より小さい場合、現在の開度から開度を増加するように前記電子膨張弁を制御するステップＳ４３ｂと、を含む。
【００４８】
本実施例において、室外機の平均排気温度と室外機システムの平均排気温度との関係を判断することによって電子膨張弁の開度を制御する。
【００４９】
具体的には、まず各前記室外機の平均排気温度と室外機システムの平均排気温度との大きさを比較する。前記室外機の平均排気温度が前記室外機システムの平均排気温度より大きい場合、当該室外機の電子膨張弁がその最大開度に達しているか否かを検出する。電子膨張弁が最大開度に達していないと検出された場合、現在の開度から開度を増加するように電子膨張弁を制御して、当該室外機の圧縮機の冷媒の流れる量を増やしてその排気温度を低下させる。
【００５０】
なお、本実施例における前記室外機は、２台、３台および３台以上であってもよいが、ここでは限定しない。
【００５１】
本実施例において、室外機の平均排気温度と室外機システムの平均排気温度を比較することによって電子膨張弁の開度を制御する。これにより、マルチ式空気調和機システム全体において冷媒の分配が効果的に実現される。
【００５２】
さらに、図６に示すように、本発明のマルチ式空気調和機の制御方法の実施例５において、上記のステップＳ４０は、
平均排気温度が前記室外機システムの平均排気温度より低い室外機の電子膨張弁の開度が最小開度より大きいか否かを判断するステップＳ４４ａと、
前記電子膨張弁の開度が最小開度より大きい場合、現在の開度から開度を減少するように前記電子膨張弁を制御するステップＳ４４ｂと、を含む。
【００５３】
本実施例において、室外機の平均排気温度と室外機システムの平均排気温度との関係を判断することによって電子膨張弁の開度を制御する。
【００５４】
具体的には、まず各前記室外機の平均排気温度と室外機システムの平均排気温度との大きさを比較する。前記室外機の平均排気温度が前記室外機システムの平均排気温度より大きい場合、当該室外機の電子膨張弁がその最大開度に達しているか否かを検出する。電子膨張弁が最大開度に達していないと検出された場合、現在の開度から開度を増加するように電子膨張弁を制御して、当該室外機の圧縮機の冷媒の流れる量を増やしてその排気温度を低下させる。
【００５５】
なお、本実施例における前記室外機は、２台、３台および３台以上であってもよいが、ここでは限定しない。
【００５６】
本実施例において、室外機の平均排気温度と室外機システムの平均排気温度を比較することによって電子膨張弁の開度を制御する。これにより、マルチ式空気調和機システム全体において冷媒の分配が効果的に実現される。
【００５７】
さらに、図７に示すように、本発明のマルチ式空気調和機の制御方法の実施例６において、上記のステップＳ１０は、
各前記室外機の排気温度を取得するステップＳ１１と、
取得された排気温度に基づいて比較してすべての前記室外機の最低排気温度を取得するステップＳ１２と、
前記最低排気温度に対応する室外機の過熱度が目標要件に達しているか否かを検出するステップＳ１３と、を含む。
【００５８】
本実施例において、各前記室外機の排気温度を取得し、取得された排気温度に基づいて比較してすべての排気温度における最低排気温度を取得し、さらに、当該最低排気温度に対応する室外機の過熱度が目標要件に達しているか否かを判断する。最低排気温度に対応する室外機の過熱度が目標要件に達することができる場合、当該最低排気温度より高い排気温度に対応するほかの室外機の過熱度も目標要件に達することができることを表す。したがって、当該最低排気温度に対応する室外機の過熱度が目標要件に達しているか否かを判断すればよい。
【００５９】
なお、上記の各前記室外機の排気温度とは、各室外機のすべての圧縮機の排気温度の平均値を指し、すべての室外機の排気温度を比較して最低排気温度を取得する。
【００６０】
本実施例は、すべての室外機の排気温度における最低排気温度を取得し、当該最低排気温度に対応する室外機の過熱度が目標要件に達しているか否かを判断し、当該最低排気温度に対応する室外機の過熱度が目標要件に達している場合、ほかの室外機の過熱度もすべて目標要件に達することができると判断することができる。すべての室外機の過熱度を判断する必要がなく、動作の効率が向上する。
【００６１】
さらに、図８に示すように、本発明のマルチ式空気調和機の制御方法の実施例７において、上記のステップＳ２０は、
各前記室外機の平均排気温度および前記室外機システムの平均排気温度を取得するステップＳ２１と、
各前記室外機の平均排気温度および前記室外機システムの平均排気温度に基づいて、各前記室外機の平均排気温度と前記室外機システムの平均排気温度との差分値の絶対値を取得するステップＳ２２と、
前記絶対値が所定値に達しているか否かを判断するステップＳ２３と、を含む。
【００６２】
本実施例において、各前記室外機の平均排気温度と前記室外機システムの平均排気温度とを判断するステップの前に、まず前記室外機の平均排気温度と室外機システムの平均排気温度との差分値の絶対値が所定値に達しているか否かを判断する。所定値に達していない場合、当該室外機の平均排気温度と室外機システムの平均排気温度との差分が大きくなく、両者の差分値が変動可能な範囲内にあることを表す。当該室外機の圧縮機の平均排気温度と室外機システムの平均排気温度との差分値の絶対値が所定値に達している場合、前記室外機の平均排気温度と室外機システムの平均排気温度との大きさを判断するステップに進む。
【００６３】
ここで、上記の所定範囲は、システムの必要に応じて設定されてもよい。当該所定範囲によって、各室外機の平均排気温度が室外機システムの平均排気温度の上下の範囲で変動値を有するようになり、システム制御の信頼性が確保される。
【００６４】
さらに、別の実施例において、図９に示すように、前記方法は、
各前記室外機の圧縮機の排気温度を取得するステップＳ００と、
各前記室外機の圧縮機の排気温度が所定範囲にあるか否かを判断するステップＳ０１と、
前記室外機の圧縮機の排気温度が所定範囲を超える場合、故障信号を発するステップＳ０２と、をさらに含む。
【００６５】
本実施例において、各前記室外機の圧縮機の排気温度を取得し、各室外機の圧縮機の排気温度が所定範囲にあるか否かを判断し、前記圧縮機の排気温度が所定範囲を超える場合、故障信号を発する。当該所定範囲は、圧縮機の通常稼動状態での排気温度範囲であり、具体的には、システムの実際の状況に応じて設定されてもよい。
【００６６】
各圧縮機の排気温度が正常の所定範囲にあるか否かを検出することによって、圧縮機の故障時に迅速に警報を出し、圧縮機が故障したままで稼動するによって損害がさらに大きくなることを防止する。
【００６７】
本発明は、マルチ式空気調和機システムをさらに提供する。図１０および図１に示すように、前記方法は、前記マルチ式空気調和機システムに適用される。前記マルチ式空気調和機システムは、並列接続された少なくとも２台の室外機と、並列に接続された少なくとも２台の室内機とを含む。前記室内機と前記室外機とは、一対一で直列接続される。前記室外機は、１台、２台または複数台の圧縮機１０から構成される圧縮機ユニットを含む。前記室外機の配管構造は、気液分離器２０、圧縮機ユニット、室外熱交換器３０、方向制御弁４０、電子膨張弁５０、高圧遮断弁６０および低圧遮断弁７０を含む。前記方向制御弁４０は、四方弁である。室外機の配管の接続方式は、本分野の通常の接続方式であり、図１を参照されたく、ここでは説明を省略する。前記マルチ式空気調和機システム１００は、メモリ１０１と、プロセッサ１０２と、前記メモリ１０１に記憶され前記プロセッサ１０２で実行可能なマルチ式空気調和機の制御プログラムとをさらに含む。前記マルチ式空気調和機の制御プログラムが前記プロセッサ１０２によって実行される場合、下記の方法のステップ、すなわち、
各前記室外機の過熱度が目標要件に達しているか否かを検出するステップと、
各前記室外機の過熱度が目標要件に達している場合、各前記室外機の平均排気温度と前記室外機システムの平均排気温度との差分値が所定値に達しているか否かを判断するステップと、
各前記室外機の平均排気温度と前記室外機システムの平均排気温度との差分値が所定値に達している場合、各前記室外機の平均排気温度と前記室外機システムの平均排気温度との大きさを比較するステップと、
各前記室外機の平均排気温度と前記室外機システムの平均排気温度との大きさの結果に基づいて、前記電子膨張弁の動作を制御して、各前記室外機の平均排気温度を前記室外機システムの平均排気温度に近づかせるステップと、が実現される。
【００６８】
本実施例において、まず、各前記室外機の過熱度が目標要件に達しているか否かを検出して、各前記室外機の圧縮機が通常稼動状態にあるか否かを判断する。前記室外機の過熱度が目標値より高い場合、冷媒が流れる配管の抵抗力が異なるか、または室内の負荷が異なることによって室外機の過熱度が高すぎになり、室外機の圧縮機が過負荷状態になる可能性がある。この場合、まず冷媒の流れる量を調整して室外機の過熱度が目標値に達するようにする。次に、前記室外機の過熱度が目標値より小さい場合、冷媒が気液２相の状態で圧縮機に流れ込んで圧縮機に損害を与える可能性がある。したがって、冷媒が気液２相の状態で圧縮機に流れ込んでシステム全体に損害を与えることを避けるために、まず圧縮機の冷媒の流れ量を減らす必要がある。各前記室外機の過熱度が目標要件に達している場合に限って、次の動作に進むが、そうでなければ、まず、目標要件に達するように圧縮機の過熱度を調整する必要がある。
【００６９】
各前記室外機の過熱度が目標要件に達している場合、さらに、各前記室外機の平均排気温度と前記室外機システムの平均排気温度との差分値が所定値に達しているか否かを判断する。当該所定値は、必要に応じて設定されてもよい。各前記室外機の平均排気温度と前記室外機システムの平均排気温度との差分値が所定値以内にあると、この場合に各前記室外機の平均排気温度と前記室外機システムの平均排気温度との差分が大きくなく、許容可能な変動範囲内にあることを表し、この場合に室外機の稼動を調整する必要がない。しかし、各室外機の平均排気温度と室外機システムの平均排気温度との差分値が所定値を超えると、この場合に各室外機の平均排気温度が室外機システムの平均排気温度から大きく離れ、室外機の通常稼動に影響しうることを表す。したがって、室外機システムの平均排気温度に近づくように各室外機の排気温度を調整する措置を取る必要がある。
【００７０】
さらに、各前記室外機の圧縮機の排気温度を取得し、前記室外機システムの平均排気温度を算出する。
【００７１】
各前記室外機の平均排気温度は、各前記室外機内のすべての圧縮機の排気温度の平均値である。室外機が３台ある場合、３台の室外機の平均排気温度をＴＰ１、ＴＰ２およびＴＰ３とし、各室外機はそれぞれ２台の圧縮機を含み、圧縮機の排気温度を、それぞれＴＰ１Ｃ１、ＴＰ１Ｃ２、ＴＰ２Ｃ１、ＴＰ２Ｃ２、ＴＰ３Ｃ１、ＴＰ３Ｃ２とすると、３台の前記室外機の平均排気温度は、ＴＰ１＝ＴＰ１Ｃ１＋ＴＰ１Ｃ２）／２、ＴＰ２＝（ＴＰ２Ｃ１＋ＴＰ２Ｃ２）／２、ＴＰ３＝（ＴＰ３Ｃ１＋ＴＰ３Ｃ２）／２である。前記室外機システムの平均排気温度は、３台の室外機の平均排気温度の平均値である。前記室外機システムの平均排気温度をＴＰとすると、ＴＰ＝（ＴＰ１＋ＴＰ２＋ＴＰ３）／３である。
【００７２】
さらに、算出された各前記室外機の平均排気温度を比較する。具体的に、室外機が２台しかない場合、直接に２台の室外機の算出された平均排気温度を比較し、平均排気温度の高いほうの室外機について、その電子膨張弁の開度を大きくしてその内部の冷媒を増やして、その排気温度を低下させる。平均排気温度の低いほうの室外機について、その電子膨張弁の開度を小さくしてその内部の冷媒を減らしてその排気温度を上昇させる。当然、複数台の室外機が存在する場合、２つずつ比較する方法が、複雑であるため、この場合、直接に各室外機の平均排気温度に基づいて室外機システム全体の平均排気温度を算出し、各室外機の平均排気温度と室外機システムの平均排気温度とを比較し、その大きさに基づいて電子膨張弁の開度の度合いを調整して、室外機の排気温度を室外機システム全体の平均排気温度に近づかせる。そして室外機システム全体において冷媒の分配が均一であることが実現される。
【００７３】
本実施例において、各前記室外機の過熱度が目標要件に達しているか否かを検出し、各前記室外機の過熱度が目標要件に達している場合、各前記室外機の平均排気温度を取得し、前記室外機システムの平均排気温度を算出し、各前記室外機の平均排気温度の大きさを比較し、各前記室外機の平均排気温度の大きさに基づいて前記室外機の電子膨張弁の開度を検出し、前記電子膨張弁の動作を制御して、各前記室外機の平均排気温度を前記室外機システムの平均排気温度に近づかせる。本発明の方法により、マルチ式空気調和機システムにおいて冷媒の分配が均一でない問題が解決され、特に、ジェットエンタルピー増加マルチ式空気調和機システムにおいてジェット電子膨張弁の開度を制御することによってシステムの排気温度を効果的に制御することが実現される。
【００７４】
さらに、一実施例において、前記マルチ式空気調和機の制御プログラムが前記プロセッサによって実行される場合、下記の方法のステップ、すなわち、
２台の前記室外機のうち平均排気温度の高いほうの室外機の電子膨張弁の開度が最大開度より大きいか否かを判断するステップと、
前記電子膨張弁の開度が最大開度より小さい場合、現在の開度から開度を増加するように前記電子膨張弁を制御するステップと、が実現される。
【００７５】
本実施例において、前記マルチ式空気調和機の室外機が２台しかない。室外機が２台しかない場合、直接に２台の室外機の平均排気温度の大きさを比較することによって電子膨張弁の開度を調整する。
【００７６】
具体的に、２台の室外機の平均排気温度を算出し、２台の室外機の平均排気温度の大きさを比較し、さらに当該平均排気温度の大きいほうの室外機の電子膨張弁の現在の開度がその達成可能な最大開度に達しているか否かを判断する。前記電子膨張弁がその達成可能な最大開度に達している場合、この場合に当該電子膨張弁の開度をこれ以上増加することができることを表す。したがって、電子膨張弁の現在の開度が最大開度に達していない場合に限って、開度を増加するように電子膨張弁を制御することができる。
【００７７】
したがって、電子膨張弁が最大開度に達していないと検出された場合、現在の開度から開度を増加するように電子膨張弁を制御して、当該室外機の圧縮機の冷媒の流れる量を増やしてその排気温度を低下させる。
【００７８】
本実施例において、室外機が２台しかない場合、直接に２台の室外機の平均排気温度の大きさを比較し、平均排気温度の高いほうの室外機の電子膨張弁の開度が最大開度に達しているか否かを判断することによって、当該電子膨張弁を引き続き開くことができるか否かを判断する。これにより、電子膨張弁の制御の正確さを向上するとともに、電子膨張弁およびシステム全体を保護する作用を奏する。
【００７９】
さらに、一実施例において、前記マルチ式空気調和機の制御プログラムが前記プロセッサによって実行される場合、下記の方法のステップ、すなわち、
２台の前記室外機のうち平均排気温度の低いほうの室外機の電子膨張弁の開度が最小開度より大きいか否かを判断するステップと、
前記電子膨張弁の開度が最小開度より大きい場合、現在の開度から開度を減少するように前記電子膨張弁を制御するステップと、が実現される。
【００８０】
本実施例において、前記マルチ式空気調和機の室外機が２台しかない。室外機が２台しかない場合、直接に２台の室外機の平均排気温度の大きさを比較して電子膨張弁の開度を調整する。
【００８１】
具体的には、２台の室外機の平均排気温度を算出し、２台の室外機の平均排気温度の大きさを比較し、さらに当該平均排気温度の小さいほうの室外機の電子膨張弁の現在の開度がその達成可能な最小開度に達しているか否かを判断する。前記電子膨張弁がその達成可能な最小開度に達している場合、この場合に当該電子膨張弁の開度がこれ以上減少することができないことを表す。したがって、電子膨張弁の現在の開度が最小開度に達していない場合に限って、開度を減少するように電子膨張弁を制御することができる。
【００８２】
したがって、電子膨張弁が最小開度に達していないと検出された場合、現在の開度から開度を減少するように電子膨張弁を制御して、当該室外機の圧縮機の冷媒の流れる量を減らしてその排気温度を上昇させる。
【００８３】
本実施例において、室外機が２台しかない場合、直接に２台の室外機の平均排気温度の大きさを比較し、平均排気温度の低いほうの室外機の電子膨張弁の開度が最小開度に達しているか否かを判断することによって、当該電子膨張弁が引き続き開くことができか否かを判断する。これにより、電子膨張弁の制御の正確さを向上するとともに、電子膨張弁およびシステム全体を保護する作用を奏する。
【００８４】
さらに、ほかの実施例において、前記マルチ式空気調和機の制御プログラムが前記プロセッサによって実行される場合、下記の方法のステップ、すなわち、
平均排気温度が前記室外機システムの平均排気温度より高い室外機の電子膨張弁の開度が最大開度より大きいか否かを判断するステップと、
前記電子膨張弁の開度が最大開度より小さい場合、現在の開度から開度を増加するように前記電子膨張弁を制御するステップと、が実現される。
【００８５】
本実施例において、室外機の平均排気温度と室外機システムの平均排気温度との関係を判断することによって電子膨張弁の開度を制御する。
【００８６】
具体的には、まず、各前記室外機の平均排気温度と室外機システムの平均排気温度との大きさを比較する。前記室外機の平均排気温度が前記室外機システムの平均排気温度より大きい場合、当該室外機の電子膨張弁がその最大開度に達しているか否かを検出する。電子膨張弁が最大開度に達していないと検出された場合、現在の開度から開度を増加するように電子膨張弁を制御して、当該室外機の圧縮機の冷媒の流れる量を増やしてその排気温度を低下させる。
【００８７】
なお、本実施例における前記室外機は、２台、３台および３台以上であってもよいが、ここでは限定しない。
【００８８】
本実施例において、室外機の平均排気温度と室外機システムの平均排気温度との大きさを比較することによって電子膨張弁の開度を制御する。これにより、マルチ式空気調和機システム全体において冷媒の分配が効果的に実現される。
【００８９】
さらに、ほかの実施例において、前記マルチ式空気調和機の制御プログラムが前記プロセッサによって実行される場合、下記の方法のステップ、すなわち、
平均排気温度が前記室外機システムの平均排気温度より低い室外機の電子膨張弁の開度が最小開度より大きいか否かを判断するステップと、
前記電子膨張弁の開度が最小開度より大きい場合、現在の開度から開度を減少するように前記電子膨張弁を制御するステップと、が実現される。
【００９０】
本実施例において、室外機の平均排気温度と室外機システムの平均排気温度との関係を判断することによって電子膨張弁の開度を制御する。
【００９１】
具体的には、まず、各前記室外機の平均排気温度と室外機システムの平均排気温度との大きさを比較する。前記室外機の平均排気温度が前記室外機システムの平均排気温度より大きい場合、当該室外機の電子膨張弁がその最大開度に達しているか否かを検出する。電子膨張弁が最大開度に達していないと検出された場合、現在の開度から開度を増加するように電子膨張弁を制御して、当該室外機の圧縮機の冷媒の流れる量を増やしてその排気温度を低下させる。
【００９２】
なお、本実施例における前記室外機は、２台、３台および３台以上であってもよいが、ここでは限定しない。
【００９３】
本実施例において、室外機の平均排気温度と室外機システムの平均排気温度とを比較することによって電子膨張弁の開度を制御する。これにより、マルチ式空気調和機システム全体において冷媒の分配が効果的に実現される。
【００９４】
さらに、ほかの実施例において、前記マルチ式空気調和機の制御プログラムが前記プロセッサによって実行される場合、下記の方法のステップ、すなわち、
各前記室外機の排気温度を取得するステップと、
取得された排気温度に基づいて比較してすべての前記室外機の最低排気温度を取得するステップと、
前記最低排気温度に対応する室外機の過熱度が目標要件に達しているか否かを検出するステップと、が実現される。
【００９５】
本実施例において、各前記室外機の排気温度を取得し、取得された排気温度に基づいて比較してすべての排気温度における最低排気温度を取得し、さらに、当該最低排気温度に対応する室外機の過熱度が目標要件に達しているか否かを判断する。最低排気温度に対応する室外機の過熱度が目標要件に達することができる場合、当該最低排気温度より高い排気温度に対応するほかの室外機の過熱度も目標要件に達することができることを表す。したがって、当該最低排気温度に対応する室外機の過熱度が目標要件に達しているか否かを判断すればよい。
【００９６】
なお、上記の各前記室外機の排気温度とは、各室外機のすべての圧縮機の排気温度の平均値を指し、すべての室外機の排気温度を比較して最低排気温度を取得する。
【００９７】
本実施例において、すべての室外機の排気温度における最低排気温度を取得し、当該最低排気温度に対応する室外機の過熱度が目標要件に達しているか否かを判断し、当該最低排気温度に対応する室外機の過熱度が目標要件に達している場合、ほかの室外機の過熱度もすべて目標要件に達することができると判断することができる。すべての室外機の過熱度を判断する必要がなく、操作の効率が向上する。
【００９８】
さらに、ほかの実施例において、前記マルチ式空気調和機の制御プログラムが前記プロセッサによって実行される場合、下記の方法のステップ、すなわち、
各前記室外機の平均排気温度および前記室外機システムの平均排気温度に基づいて、各前記室外機の平均排気温度と前記室外機システムの平均排気温度との差分値の絶対値を取得するステップと、
前記絶対値が所定値に達しているか否かを判断するステップと、が実現される。
【００９９】
本実施例において、各前記室外機の平均排気温度と前記室外機システムの平均排気温度とを判断するステップの前に、まず、前記室外機の平均排気温度と室外機システムの平均排気温度との差分値の絶対値が所定値に達しているか否かを判断する。所定値に達していない場合、当該室外機の平均排気温度と室外機システムの平均排気温度との差分が大きくなく、両者の差分値が変動可能な範囲内にあることを表す。当該室外機の圧縮機の平均排気温度と室外機システムの平均排気温度との差分値の絶対値が所定値に達している場合、前記室外機の平均排気温度と室外機システムの平均排気温度との大きさを判断するステップに進む。
【０１００】
ここで、上記の所定範囲は、システムの必要に応じて設定されてもよい。当該所定範囲によって、各室外機の平均排気温度が室外機システムの平均排気温度の上下の範囲で変動値を有するようになり、システム制御の信頼性が確保される。
【０１０１】
また、本発明の実施例は、マルチ式空気調和機の制御プログラムが記憶されているコンピュータ読み取り可能な記憶媒体をさらに提供し、前記マルチ式空気調和機の制御プログラムがプロセッサによって実行される場合、上記の実施例に記載の方法のステップが実現される。
【０１０２】
本発明の別の態様において、本発明は、別のマルチ式空気調和機の制御方法を提供する。前記方法は、前記マルチ式空気調和機システムに適用される。前記マルチ式空気調和機システムは、並列接続された少なくとも２台の室外機と、並列接続された少なくとも２台の室内機とを含む。前記室内機と前記室外機は、一対一で直列接続される。前記室外機の配管の構造は、気液分離器２０、圧縮機ユニット、室外熱交換器３０、方向制御弁４０、電子膨張弁５０、ジェット電子膨張弁６０１、高圧遮断弁６０および低圧遮断弁７０を含む。前記方向制御弁は、四方弁である。室外機の配管の接続方式は、本分野の通常の接続方式であり、図１Ａを参照されたく、ここでは説明を省略する。しかも、本実施例におけるマルチ式空気調和機は、ジェットエンタルピー増加式システムである。前記圧縮機ユニットにおける圧縮機は、ジェットエンタルピー増加圧縮機である。このジェットエンタルピー増加システムにおいて、前記電子膨張弁は、ジェット電子膨張弁６０１と通常の電子膨張弁５０とを含む。本実施例に記載の電子膨張弁の開度の制御は、ジェット電子膨張弁６０１の開度の制御を指す。
【０１０３】
実施例１において、図２Ａに示すように、前記マルチ式空気調和機の制御方法において、以下のステップＳ１１０〜ステップＳ１５０を含む。
【０１０４】
ステップＳ１１０において、各前記室外機の過熱度が目標要件に達しているか否かを検出する。
【０１０５】
本実施例において、まず、各前記室外機の過熱度が目標要件に達しているか否かを検出して、各前記室外機の圧縮機が通常稼動状態にあるか否かを判断する。前記室外機の過熱度が目標値より高い場合、冷媒が流れる配管の抵抗力が異なるか、または室内の負荷が異なることによって室外機の過熱度が高すぎになり、室外機の圧縮機が過負荷状態になる可能性がある。この場合、まず冷媒の流れる量を調整して室外機の過熱度が目標値に達するようにする。次に、前記室外機の過熱度が目標値より小さい場合、冷媒が気液２相の状態で圧縮機に流れ込んで圧縮機に損害を与える可能性がある。したがって、冷媒が気液２相の状態で圧縮機に流れ込んでシステム全体に損害を与えることを避けるために、まず圧縮機の冷媒の流れ量を減らす必要がある。各前記室外機の過熱度が目標要件に達している場合に限って、次の動作に進むが、そうでなければ、まず、目標要件に達するように圧縮機の過熱度を調整する必要がある。
【０１０６】
ステップＳ１２０において、各前記室外機の過熱度が目標要件に達している場合、各前記室外機の平均排気温度と前記室外機システムの平均排気温度との差分値が所定値に達しているか否かについての第１判断を行う。
【０１０７】
各前記室外機の過熱度が目標要件に達している場合、さらに、各前記室外機の平均排気温度と前記室外機システムの平均排気温度との差分値が所定値に達しているか否かを判断する。当該所定値は、必要に応じて設定されてもよい。各前記室外機の平均排気温度と前記室外機システムの平均排気温度との差分値が所定値以内にあると、この場合に各前記室外機の平均排気温度と前記室外機システムの平均排気温度との差分が大きくなく、許容可能な変動範囲内にあることを表し、この場合に室外機の稼動を調整する必要がない。しかし、各室外機の平均排気温度と室外機システムの平均排気温度との差分値が所定値を超えると、この場合に各室外機の平均排気温度が室外機システムの平均排気温度から大きく離れ、室外機の通常稼動に影響しうることを表す。したがって、室外機システムの平均排気温度に近づくように各室外機の排気温度を調整する措置を取る必要がある。
【０１０８】
ステップＳ１３０において、各前記室外機の平均排気温度と前記室外機システムの平均排気温度との差分値が所定値に達している場合、各前記室外機の電子膨張弁が位置する経路の過熱度が第１所定値より大きいか否かについての第２判断を行う。
【０１０９】
前記室外機の平均排気温度と室外機システムの平均排気温度とについての上記第１判断を行った上で、前記室外機の電子膨張弁が位置する経路の過熱度が第１所定値より大きいか否かを判断する。ここでの電子膨張弁とは、本システムにおけるジェット電子膨張弁である。当該第１所定値が、ジェット電子膨張弁が操作可能な状態にあることを限定するためのものである。すなわち、当該ジェット電子膨張弁が当該第１所定値より大きい場合に限って、ジェット電子膨張弁の開度の調整が可能である。
【０１１０】
なお、当該ジェット電子膨張弁の過熱度は、以下のように定義される。図１Ａに示すように、当該ジェット電子膨張弁で検出された温度Ｔ１、Ｔ２および圧力基づいて当該ジェット電子膨張弁が位置する経路の過熱度を算出する。
【０１１１】
ステップＳ１４０において、各前記室外機の電子膨張弁が位置する経路の過熱度が第１所定値より大きい場合、各前記室外機の平均排気温度が室外機システムの平均排気温度より大きいか否かについての第３判断を行う。
【０１１２】
さらに、前記室外機の平均排気温度と前記室外機システムの平均排気温度との差分値が所定値に達していると取得された場合、各前記室外機の平均排気温度が前記室外機システムの平均排気温度より大きいか否かを判断する。なお、各前記室外機の平均排気温度が前記室外機システムの平均排気温度より大きいか否かを判断することは、各室外機の平均排気温度と室外機システムの平均排気温度とを個別に判断することであり、各室外機の判断が独立して行われる。また、室外機の平均排気温度と室外機システムの平均排気温度との差分値が所定値に達していることさえあれば、当該室外機を調整してその平均排気温度を室外機システムの平均排気温度に近づかせる必要があると判定する。
【０１１３】
ここで、各前記室外機の平均排気温度は、各前記室外機内のすべての圧縮機の排気温度の平均値である。３台の室外機がある場合、３台の室外機の平均排気温度をＴＰ１、ＴＰ２およびＴＰ３とし、各室外機はそれぞれ２台の圧縮機を含み、圧縮機の排気温度を、それぞれＴＰ１Ｃ１、ＴＰ１Ｃ２、ＴＰ２Ｃ１、ＴＰ２Ｃ２、ＴＰ３Ｃ１、ＴＰ３Ｃ２とすると、３台の前記室外機の平均排気温度は、ＴＰ１＝ＴＰ１Ｃ１＋ＴＰ１Ｃ２）／２、ＴＰ２＝（ＴＰ２Ｃ１＋ＴＰ２Ｃ２）／２、ＴＰ３＝（ＴＰ３Ｃ１＋ＴＰ３Ｃ２）／２である。前記室外機システムの平均排気温度は、３台の室外機の平均排気温度の平均値である。前記室外機システムの平均排気温度をＴＰとすると、ＴＰ＝（ＴＰ１＋ＴＰ２＋ＴＰ３）／３である。
【０１１４】
ステップＳ１５０において、第３判断の結果が「大きい」である場合、対応する電子膨張弁の開度を増加し、第３判断の結果が「大きくない」である場合、対応する電子膨張弁の開度を減少する。
【０１１５】
上記の判断の結果を以下のように処理する。前記第３判断の結果が「大きい」であり、すなわち前記室外機の平均排気温度が前記室外機システムの平均排気温度より大きい場合、当該室外機の平均排気温度が室外機システム全体の排気温度より高いことを表し、当該室外機の冷媒が少なめであり、冷媒の流れる量を増やす必要があることを表す。この場合、さらに、ジェット電子膨張弁が位置する経路の過熱度が第１所定値に達しているか否かを判断する。ジェット電子膨張弁が位置する経路の過熱度が第１所定値に達していない場合、ここのジェット電子膨張弁を流れる冷媒が直接に圧縮機に噴射し戻されるため、ジェット電子膨張弁での過熱度が第１所定値以内でなければ、ジェット電子膨張弁を開けると、冷媒が液体の形態で圧縮機に流れ込んで圧縮機に溜まって、圧縮機に損害を与える恐れがある。したがって、ジェット電子膨張弁を開ける前に、まずジェット電子膨張弁が位置する経路の過熱度が第１所定値に達しているか否かを判断する必要がある。前記ジェット電子膨張弁が第１所定値に達している場合、現在の開度から所定の開度を増加するように前記ジェット電子膨張弁を制御して、ここから当該室外機の圧縮機に流れ込む冷媒を増やして、当該室外機の圧縮機の排気温度を低下させる。
【０１１６】
また、第３判断の結果が「大きくない」であり、すなわち前記室外機の平均排気温度が室外機システムの平均排気温度より小さい場合、当該室外機の圧縮機の排気温度が低すぎることを表し、つまり、当該室外機の圧縮機の冷媒の量が多めであることを表すため、弁を制御することによって当該室外機の圧縮機の冷媒の量を少なくする必要がある。同様に、ジェット電子膨張弁を制御する前に、まず、ジェット電子膨張弁が位置する経路の過熱度が第１所定値に達しているか否かを判断する。前記ジェット電子膨張弁が位置する経路の過熱度が第１所定値に達している場合、現在の開度から開度を減少するように当該ジェット電子膨張弁を制御して、当該室外機の圧縮機に流れ込む冷媒の量を少なくする。
【０１１７】
なお、前記ジェット電子膨張弁が位置する経路の過熱度が第１所定値に達していない場合、メイン回路上の通常の電子膨張弁の開度を制御することによって室外機の圧縮機に流れ込む冷媒の量を制御し、または、圧縮機の周波数を制御することによって圧縮機の排気温度のバランスを取る。
【０１１８】
さらに、本実施例において、前記ジェット電子膨張弁が位置する経路の過熱度の第１所定値は、環境温度の変化に応じて変更することができ、かつ第１所定値は、通常５℃より大きいことを設定標準として、具体的には、必要に応じて設定されてもよい。
【０１１９】
また、前記ジェット電子膨張弁が位置する経路の過熱度が第１所定値に達していない場合、さらに、ジェット電子膨張弁が位置する経路の過熱度が第２所定値より小さいか否かを判断する。ここで、第２所定値は、第１所定値に関連する正数であり、第１所定値より小さい。前記ジェット電子膨張弁が位置する経路の過熱度が第２所定値より小さい場合、ジェット電子膨張弁の現在の開度をそのまま維持する。
【０１２０】
本実施例において、各前記室外機の過熱度が目標要件に達しているか否かを検出し、各前記室外機の過熱度が目標要件に達している場合、各前記室外機の平均排気温度と前記室外機システムの平均排気温度との差分値が所定値に達しているか否かについての第１判断を行い、各前記室外機の平均排気温度と前記室外機システムの平均排気温度との差分値が所定値に達している場合、各前記室外機の電子膨張弁が位置する経路の過熱度が第１所定値より大きいか否かについての第２判断を行い、各前記室外機の電子膨張弁が位置する経路の過熱度が第１所定値より大きい場合、各前記室外機の平均排気温度が室外機システムの平均排気温度より大きいか否かについての第３判断を行い、第３判断の結果が「大きい」である場合、前記電子膨張弁の開度を増加し、第３判断の結果が「大きくない」である場合、前記電子膨張弁の開度を減少する。本発明の方法により、マルチ式空気調和機システムにおいて冷媒の分配が均一でない問題が解決され、特に、ジェットエンタルピー増加マルチ式空気調和機システムにおいてジェット電子膨張弁の開度を制御することによってシステムの排気温度を効果的に制御することが実現される。
【０１２１】
さらに、図７に示すように、本発明のマルチ式空気調和機の制御方法の実施例１を基に、本発明のマルチ式空気調和機の制御方法の実施例２において、上記のステップＳ１１０は、
各前記室外機の排気温度を取得するステップＳ１１と、
取得された排気温度に基づいて比較してすべての前記室外機の最低排気温度を取得するステップＳ１２と、
前記最低排気温度に対応する室外機の過熱度が目標要件に達しているか否かを検出するステップＳ１３と、を含む。
【０１２２】
本実施例において、各前記室外機の排気温度を取得し、取得された排気温度に基づいて比較してすべての前記室外機の最低排気温度を取得し、当該最低排気温度に対応する室外機の過熱度が目標要件に達しているか否かを判断する。最低排気温度に対応する室外機の過熱度が目標要件に達することができる場合、当該最低排気温度より高い排気温度に対応するほかの室外機の過熱度も目標要件に達することができることを表す。したがって、当該最低排気温度に対応する室外機の過熱度が目標要件に達しているか否かを判断すればよい。
【０１２３】
なお、上記の各前記室外機の排気温度とは、各室外機のすべての圧縮機の排気温度の平均値を指し、すべての室外機の排気温度を比較して最低排気温度を取得する。
【０１２４】
本実施例は、すべての室外機の排気温度における最低排気温度を取得し、当該最低排気温度に対応する室外機の過熱度が目標要件に達しているか否かを判断し、当該最低排気温度に対応する室外機の過熱度が目標要件に達している場合、ほかの室外機の過熱度もすべて目標要件に達することができると判断することができる。すべての室外機の過熱度を判断する必要がなく、動作の効率が向上する。
【０１２５】
さらに、図４Ａに示すように、本発明のマルチ式空気調和機の制御方法の実施例２を基に、本発明のマルチ式空気調和機の制御方法の実施例３において、上記のステップＳ１２０は、
各前記室外機の平均排気温度および前記室外機システムの平均排気温度を取得するステップＳ２１と、
各前記室外機の平均排気温度および前記室外機システムの平均排気温度に基づいて、各前記室外機の平均排気温度と前記室外機システムの平均排気温度との差分値の絶対値を取得するステップＳ２２と、
前記絶対値が所定値に達しているか否かを判断するステップＳ２３と、を含む。
【０１２６】
本実施例において、各前記室外機の平均排気温度と前記室外機システムの平均排気温度とを判断するステップの前に、まず前記室外機の平均排気温度と室外機システムの平均排気温度との差分値の絶対値が所定値に達しているか否かを判断する。所定値に達していない場合、当該室外機の平均排気温度と室外機システムの平均排気温度との差分が大きくなく、両者の差分値が変動可能な範囲内にあることを表す。当該室外機の圧縮機の平均排気温度と室外機システムの平均排気温度との差分値の絶対値が所定値に達している場合、前記室外機の平均排気温度と室外機システムの平均排気温度との大きさを判断するステップに進む。
【０１２７】
ここで、上記の所定範囲は、システムの必要に応じて設定されてもよい。当該所定範囲によって、各室外機の平均排気温度が室外機システムの平均排気温度の上下の範囲で変動値を有するようになり、システム制御の安定性が確保される。
【０１２８】
さらに、図５Ａに示すように、本発明のマルチ式空気調和機の制御方法の実施例４において、上記のステップＳ１５０は、
第３判断の結果が「大きい」である場合、前記室外機の電子膨張弁の開度が最大開度より小さいか否かを判断するステップＳ５１と、
前記室外機の電子膨張弁の開度が最大開度より小さい場合、現在の開度から開度を増加するように前記電子膨張弁を制御するステップＳ５２と、を含む。
【０１２９】
本実施例において、前記室外機の圧縮機の平均排気温度が室外機システムの平均排気温度より高く、かつ前記ジェット電子膨張弁が位置する経路の過熱度が第１所定値より大きいことが取得された場合、当該ジェット電子膨張弁の現在の開度がその達成可能な最大開度に達しているか否かを判断する。前記ジェット電子膨張弁がその達成可能な最大開度に達している場合、当該ジェット電子膨張弁の開度をこれ以上増加することができないことを表す。したがって、ジェット電子膨張弁の現在の開度が最大開度に達していない場合に限って、開度を増加するようにジェット電子膨張弁を引き続き制御することができる。
【０１３０】
したがって、ジェット電子膨張弁が最大開度に達していないと検出された場合、現在の開度から開度を増加するようにジェット電子膨張弁を制御して、当該室外機の圧縮機の冷媒の流れる量を増やしてその排気温度を低下させる。
【０１３１】
本実施例において、ジェット電子膨張弁の開度が最大開度に達しているか否かを判断することによって、当該ジェット電子膨張弁を引き続き開くことができるか否かを判断する。これにより、ジェット電子膨張弁の制御の正確さを向上するとともに、ジェット電子膨張弁およびシステム全体を保護する作用を奏する。
【０１３２】
さらに、図５Ａに示すように、別の実施例において、上記のステップＳ１５０の後に、
第３判断の結果が「大きくない」である場合、前記室外機の電子膨張弁の開度が最小開度より大きいか否かを判断するステップＳ５３と、
前記室外機の電子膨張弁の開度が最小開度より大きい場合、現在の開度から開度を減少するように前記電子膨張弁を制御するステップＳ５４と、をさらに含む。
【０１３３】
本実施例において、前記室外機の圧縮機の平均排気温度が室外機システムの平均排気温度より低く、かつ前記ジェット電子膨張弁が位置する経路の過熱度が第１所定値より大きいことが取得された場合、当該ジェット電子膨張弁の現在の開度がその達成可能な最小開度に達しているか否かを判断する。前記ジェット電子膨張弁がその達成可能な最小開度に達している場合、当該ジェット電子膨張弁の開度をこれ以上減少することができないことを表す。したがって、ジェット電子膨張弁の現在の開度が最小開度に達していない場合に限って、開度を減少するようにジェット電子膨張弁を引き続き制御することができる。
【０１３４】
したがって、ジェット電子膨張弁が最大開度に達していないと検出された場合、現在の開度から開度を増加するようにジェット電子膨張弁を制御して、当該室外機の圧縮機の冷媒の流れる量を増やしてその排気温度を低下させる。
【０１３５】
本実施例において、ジェット電子膨張弁の開度が最小開度に達しているか否かを判断することによって、当該ジェット電子膨張弁を引き続き閉じることができるか否かを判断する。これにより、ジェット電子膨張弁の制御の正確さを向上するとともに、ジェット電子膨張弁およびシステム全体を保護する作用を奏する。
【０１３６】
さらに、別の実施例において、図９に示すように、前記方法は、
各前記室外機の圧縮機の排気温度を取得するステップＳ００と、
各前記室外機の圧縮機の排気温度が所定範囲にあるか否かを判断するステップＳ０１と、
前記室外機の圧縮機の排気温度が所定範囲を超える場合、故障信号を発するステップＳ０２と、をさらに含む。
【０１３７】
本実施例において、各前記室外機の圧縮機の排気温度を取得し、各室外機の圧縮機の排気温度が所定範囲にあるか否かを判断し、前記圧縮機の排気温度が所定範囲を超える場合、故障信号を発する。当該所定範囲は、圧縮機の通常稼動状態での排気温度範囲であり、具体的には、システムの実際の状況に応じて設定されてもよい。
【０１３８】
各圧縮機の排気温度が正常の所定範囲にあるか否かを検出することによって、圧縮機の故障時に迅速に警報を出し、圧縮機が故障したままで稼動するによって損害がさらに大きくなることを防止する。
【０１３９】
本発明は、別のマルチ式空気調和機システム１００をさらに提供する。図１Ａおよび図１０に示すように、前記マルチ式空気調和機システムは、少なくとも２台の室外機を含む。各前記室外機はそれぞれ少なくとも１つの圧縮機１０を含む。少なくとも２台の前記室外機によって室外機システムを構成する。前記室外機は、室外機の配管に接続される方向制御弁４０、気液分離器２０、室外熱交換器３０、電子膨張弁、高圧遮断弁６０および低圧遮断弁７０をさらに含む。前記方向制御弁は、四方弁である。室外機の配管の接続方式は、本分野の通常の接続方式であり、図１Ａを参照されたく、ここでは説明を省略する。しかも、本実施例におけるマルチ式空気調和機は、ジェットエンタルピー増加式システムであり、前記圧縮機ユニットの圧縮機は、ジェットエンタルピー増加圧縮機である。このジェットエンタルピー増加システムにおいて、前記電子膨張弁は、ジェット電子膨張弁６０１および通常の電子膨張弁５０を含む。前記マルチ式空気調和機システム１００は、メモリ１０１と、プロセッサ１０２と、前記メモリ１０１に記憶され前記プロセッサ１０２で実行可能なマルチ式空気調和機の制御プログラムとをさらに含む。前記マルチ式空気調和機の制御プログラムが前記プロセッサ１０２によって実行される場合、下記方法のステップ、すなわち、
各前記室外機の過熱度が目標要件に達しているか否かを検出するステップと、
各前記室外機の過熱度が目標要件に達している場合、各前記室外機の平均排気温度と前記室外機システムの平均排気温度との差分値が所定値に達しているか否かについての第１判断を行うステップと、
各前記室外機の平均排気温度と前記室外機システムの平均排気温度との差分値が所定値に達している場合、各前記室外機の電子膨張弁が位置する経路の過熱度が第１所定値より大きいか否かについてについての第２判断を行うステップと、
各前記室外機の電子膨張弁が位置する経路の過熱度が第１所定値より大きい場合、各前記室外機の平均排気温度が室外機システムの平均排気温度より大きいか否かについての第３判断を行うステップと、
第３判断の結果が「大きい」である場合、前記電子膨張弁の開度を増加し、第３判断の結果が「大きくない」である場合、前記電子膨張弁の開度を減少するステップと、が実現される。
【０１４０】
本実施例において、まず、各前記室外機の過熱度が目標要件に達しているか否かを検出して、各前記室外機の圧縮機が通常稼動状態にあるか否かを判断する。前記室外機の過熱度が目標値より高い場合、冷媒が流れる配管の抵抗力が異なるか、または室内の負荷が異なることによって室外機の過熱度が高すぎになり、室外機の圧縮機が過負荷状態になる可能性がある。この場合、まず冷媒の流れる量を調整して室外機の過熱度が目標値に達するようにする。次に、前記室外機の過熱度が目標値より小さい場合、冷媒が気液２相の状態で圧縮機に流れ込んで圧縮機に損害を与える可能性がある。したがって、冷媒が気液２相の状態で圧縮機に流れ込んでシステム全体に損害を与えることを避けるために、まず圧縮機の冷媒の流れ量を減らす必要がある。各前記室外機の過熱度が目標要件に達している場合に限って、次の動作に進むが、そうでなければ、まず、目標要件に達するように圧縮機の過熱度を調整する必要がある。
【０１４１】
各前記室外機の過熱度が目標要件に達している場合、さらに、各前記室外機の平均排気温度と前記室外機システムの平均排気温度との差分値が所定値に達しているか否かを判断する。当該所定値は、必要に応じて設定されてもよい。各前記室外機の平均排気温度と前記室外機システムの平均排気温度との差分値が所定値以内にある場合、この場合に各前記室外機の平均排気温度と前記室外機システムの平均排気温度との差分が大きくなく、許容可能な変動範囲内にあることを表し、この場合に室外機の稼動を調整する必要がない。しかし、各室外機の平均排気温度と室外機システムの平均排気温度との差分値が所定値を超えると、この場合に各室外機の平均排気温度が室外機システムの平均排気温度から大きく離れ、室外機の通常稼動に影響しうることを表す。したがって、室外機システムの平均排気温度に近づくように各室外機の排気温度を調整する措置を取る必要がある。
【０１４２】
前記室外機の平均排気温度と室外機システムの平均排気温度とについての上記第１判断を行った上で、前記室外機の電子膨張弁が位置する経路の過熱度が第１所定値より大きいか否かを判断する。ここでの電子膨張弁とは、本システムにおけるジェット電子膨張弁である。当該第１所定値が、ジェット電子膨張弁が操作可能な状態にあることを限定するためのものである。すなわち、当該ジェット電子膨張弁が当該第１所定値より大きい場合に限って、ジェット電子膨張弁の開度の調整が可能である。
【０１４３】
なお、当該ジェット電子膨張弁の過熱度は、以下のように定義される。図１Ａに示すように、当該ジェット電子膨張弁で検出された温度Ｔ１、Ｔ２および圧力基づいて当該ジェット電子膨張弁が位置する経路の過熱度を算出する。
【０１４４】
さらに、前記室外機の平均排気温度と前記室外機システムの平均排気温度との差分値が所定値に達していると取得された場合、各前記室外機の平均排気温度が前記室外機システムの平均排気温度より大きいか否かを判断する。なお、各前記室外機の平均排気温度が前記室外機システムの平均排気温度より大きいか否かを判断することは、各室外機の平均排気温度と室外機システムの平均排気温度とを個別に判断することであり、各室外機の判断が独立して行われる。また、室外機の平均排気温度と室外機システムの平均排気温度との差分値が所定値に達していることさえあれば、当該室外機を調整してその平均排気温度を室外機システムの平均排気温度に近づかせる必要があると判定する。
【０１４５】
ここで、各前記室外機の平均排気温度は、各前記室外機内のすべての圧縮機の排気温度の平均値である。３台の室外機がある場合、３台の室外機の平均排気温度をＴＰ１、ＴＰ２およびＴＰ３とし、各室外機はそれぞれ２台の圧縮機を含み、圧縮機の排気温度を、それぞれＴＰ１Ｃ１、ＴＰ１Ｃ２、ＴＰ２Ｃ１、ＴＰ２Ｃ２、ＴＰ３Ｃ１、ＴＰ３Ｃ２とすると、３台の前記室外機の平均排気温度は、ＴＰ１＝ＴＰ１Ｃ１＋ＴＰ１Ｃ２）／２、ＴＰ２＝（ＴＰ２Ｃ１＋ＴＰ２Ｃ２）／２、ＴＰ３＝（ＴＰ３Ｃ１＋ＴＰ３Ｃ２）／２である。前記室外機システムの平均排気温度は、３台の室外機の平均排気温度の平均値である。前記室外機システムの平均排気温度をＴＰとすると、ＴＰ＝（ＴＰ１＋ＴＰ２＋ＴＰ３）／３である。
【０１４６】
上記の判断の結果を以下のように処理する。前記第３判断の結果が「大きい」であり、すなわち前記室外機の平均排気温度が前記室外機システムの平均排気温度より大きい場合、当該室外機の平均排気温度が室外機システム全体の排気温度より高いことを表し、当該室外機の冷媒が少なめであり、冷媒の流れる量を増やす必要があることを表す。この場合、さらに、ジェット電子膨張弁が位置する経路の過熱度が第１所定値に達しているか否かを判断する。ジェット電子膨張弁が位置する経路の過熱度が第１所定値に達していない場合、ここのジェット電子膨張弁を流れる冷媒が直接に圧縮機に噴射し戻されるため、ジェット電子膨張弁での過熱度が第１所定値以内でなければ、ジェット電子膨張弁を開けると、冷媒が液体の形態で圧縮機に流れ込んで圧縮機に溜まって、圧縮機に損害を与える恐れがある。したがって、ジェット電子膨張弁を開ける前に、まずジェット電子膨張弁が位置する経路の過熱度が第１所定値に達しているか否かを判断する必要がある。前記ジェット電子膨張弁が第１所定値に達している場合、現在の開度から所定の開度を増加するように前記ジェット電子膨張弁を制御して、ここから当該室外機の圧縮機に流れ込む冷媒を増やして、当該室外機の圧縮機の排気温度を低下させる。
【０１４７】
また、第３判断の結果が「大きくない」であり、すなわち前記室外機の平均排気温度が室外機システムの平均排気温度より小さい場合、当該室外機の圧縮機の排気温度が低すぎることを表し、つまり、当該室外機の圧縮機の冷媒の量が多めであることを表すため、弁を制御することによって当該室外機の圧縮機に流れ込む冷媒の量を少なくする必要がある。同様に、ジェット電子膨張弁を制御する前に、まず、ジェット電子膨張弁が位置する経路の過熱度が第１所定値に達しているか否かを判断する。前記ジェット電子膨張弁が位置する経路の過熱度が第１所定値に達している場合、現在の開度から開度を減少するように当該ジェット電子膨張弁を制御して、当該室外機の圧縮機に流れ込む冷媒の量を少なくする。
【０１４８】
なお、前記ジェット電子膨張弁が位置する経路の過熱度が第１所定値に達していない場合、メイン回路上の通常の電子膨張弁の開度を制御することによって室外機の圧縮機に流れ込む冷媒の量を制御し、または、圧縮機の周波数を制御することによって圧縮機の排気温度のバランスを取る。
【０１４９】
さらに、本実施例において、前記ジェット電子膨張弁が位置する経路の過熱度の第１所定値は、環境温度の変化に応じて変更することができ、かつ第１所定値は、通常５℃より大きいことを設定標準として、具体的には、必要に応じて設定されてもよい。
【０１５０】
また、前記ジェット電子膨張弁が位置する経路の過熱度が第１所定値に達していない場合、さらに、ジェット電子膨張弁が位置する経路の過熱度が第２所定値より小さいか否かを判断する。ここで、第２所定値は、第１所定値に関連する正数であり、第１所定値より小さい。前記ジェット電子膨張弁が位置する経路の過熱度が第２所定値より小さい場合、ジェット電子膨張弁の現在の開度をそのまま維持する。
【０１５１】
本実施例において、各前記室外機の過熱度が目標要件に達しているか否かを検出し、各前記室外機の過熱度が目標要件に達している場合、各前記室外機の平均排気温度と前記室外機システムの平均排気温度との差分値が所定値に達しているか否かについての第１判断を行い、各前記室外機の平均排気温度と前記室外機システムの平均排気温度との差分値が所定値に達している場合、各前記室外機の電子膨張弁が位置する経路の過熱度が第１所定値より大きいか否かについての第２判断を行い、各前記室外機の電子膨張弁が位置する経路の過熱度が第１所定値より大きい場合、各前記室外機の平均排気温度が室外機システムの平均排気温度より大きいか否かについての第３判断を行い、第３判断の結果が「大きい」である場合、前記電子膨張弁の開度を増加し、第３判断の結果が「大きくない」である場合、前記電子膨張弁の開度を減少する。本発明の方法により、マルチ式空気調和機システムにおいて冷媒の分配が均一でない問題が解決され、特に、ジェットエンタルピー増加マルチ式空気調和機システムにおいてジェット電子膨張弁の開度を制御することによってシステムの排気温度を効果的に制御することが実現される。
【０１５２】
さらに、一実施例において、前記マルチ式空気調和機の制御プログラムが前記プロセッサ１０２によって実行される場合、下記の方法のステップ、すなわち、
各前記室外機の排気温度を取得するステップと、
取得された排気温度に基づいて比較してすべての前記室外機の最低排気温度を取得するステップと、
前記最低排気温度に対応する室外機の過熱度が目標要件に達しているか否かを検出するステップと、が実現される。
【０１５３】
本実施例において、各前記室外機の排気温度を取得し、取得された排気温度に基づいて比較してすべての前記室外機の最低排気温度を取得し、当該最低排気温度に対応する室外機の過熱度が目標要件に達しているか否かを判断する。最低排気温度に対応する室外機の過熱度が目標要件に達することができる場合、当該最低排気温度より高い排気温度に対応するほかの室外機の過熱度も目標要件に達することができることを表す。したがって、当該最低排気温度に対応する室外機の過熱度が目標要件に達しているか否かを判断すればよい。
【０１５４】
なお、上記の各前記室外機の排気温度とは、各室外機のすべての圧縮機の排気温度の平均値を指し、すべての室外機の排気温度を比較して最低排気温度を取得する。
【０１５５】
本実施例において、すべての室外機の排気温度における最低排気温度を取得し、当該最低排気温度に対応する室外機の過熱度が目標要件に達しているか否かを判断し、当該最低排気温度に対応する室外機の過熱度が目標要件に達している場合、ほかの室外機の過熱度もすべて目標要件に達することができると判断することができる。すべての室外機の過熱度を判断する必要がなく、動作の効率が向上する。
【０１５６】
さらに、一実施例において、前記マルチ式空気調和機の制御プログラムが前記プロセッサ１０２によって実行される場合、下記の方法のステップ、すなわち、
各前記室外機の平均排気温度および前記室外機システムの平均排気温度を取得するステップと、
各前記室外機の平均排気温度および前記室外機システムの平均排気温度に基づいて、各前記室外機の平均排気温度と前記室外機システムの平均排気温度との差分値の絶対値を取得するステップと、
前記絶対値が所定値に達しているか否かを判断するステップと、が実現される。
【０１５７】
本実施例において、各前記室外機の平均排気温度と前記室外機システムの平均排気温度とを判断するステップの前に、まず前記室外機の平均排気温度と室外機システムの平均排気温度との差分値の絶対値が所定値に達しているか否かを判断する。所定値に達していない場合、当該室外機の平均排気温度と室外機システムの平均排気温度との差分が大きくなく、両者の差分値が変動可能な範囲内にあることを表す。当該室外機の圧縮機の平均排気温度と室外機システムの平均排気温度との差分値の絶対値が所定値に達している場合、前記室外機の平均排気温度と室外機システムの平均排気温度との大きさを判断するステップに進む。
【０１５８】
ここで、上記の所定範囲は、システムの必要に応じて設定されてもよい。当該所定範囲によって、各室外機の平均排気温度が室外機システムの平均排気温度の上下の範囲で変動値を有するようになり、システム制御の安定性が確保される。
【０１５９】
さらに、別の実施例において、前記マルチ式空気調和機の制御プログラムが前記プロセッサ１０２によって実行される場合、下記の方法のステップ、すなわち、
第３判断の結果が「大きい」である場合、前記室外機の電子膨張弁の開度が最大開度より小さいか否かを判断するステップと、
前記室外機の電子膨張弁の開度が最大開度より小さい場合、現在の開度から開度を増加するように前記電子膨張弁を制御するステップと、を含む。
【０１６０】
本実施例において、前記室外機の圧縮機の平均排気温度が室外機システムの平均排気温度より高く、かつ前記ジェット電子膨張弁が位置する経路の過熱度が第１所定値より大きいことが取得された場合、当該ジェット電子膨張弁の現在の開度がその達成可能な最大開度に達しているか否かを判断する。前記ジェット電子膨張弁がその達成可能な最大開度に達している場合、当該ジェット電子膨張弁の開度をこれ以上増加することができないことを表す。したがって、ジェット電子膨張弁の現在の開度が最大開度に達していない場合に限って、開度を増加するようにジェット電子膨張弁を引き続き制御することができる。
【０１６１】
したがって、ジェット電子膨張弁が最大開度に達していないと検出された場合、現在の開度から開度を増加するようにジェット電子膨張弁を制御して、当該室外機の圧縮機の冷媒の流れる量を増やしてその排気温度を低下させる。
【０１６２】
本実施例において、ジェット電子膨張弁の開度が最大開度に達しているか否かを判断することによって、当該ジェット電子膨張弁を引き続き開くことができるか否かを判断する。これにより、ジェット電子膨張弁の制御の正確さを向上するとともに、ジェット電子膨張弁およびシステム全体を保護する作用を奏する。
【０１６３】
さらに、別の実施例において、前記マルチ式空気調和機の制御プログラムが前記プロセッサ１０２によって実行される場合、下記の方法のステップ、すなわち、
第３判断の結果が「大きくない」である場合、前記室外機の電子膨張弁の開度が最小開度より大きいか否かを判断するステップと、
前記室外機の電子膨張弁の開度が最小開度より大きい場合、現在の開度から開度を減少するように前記電子膨張弁を制御するステップと、をさらに含む。
【０１６４】
本実施例において、前記室外機の圧縮機の平均排気温度が室外機システムの平均排気温度より低く、かつ前記ジェット電子膨張弁が位置する経路の過熱度が第１所定値より大きいことが取得された場合、当該ジェット電子膨張弁の現在の開度がその達成可能な最小開度に達しているか否かを判断する。前記ジェット電子膨張弁がその達成可能な最小開度に達している場合、当該ジェット電子膨張弁の開度をこれ以上減少することができないことを表す。したがって、ジェット電子膨張弁の現在の開度が最小開度に達していない場合に限って、開度を減少するようにジェット電子膨張弁を引き続き制御することができる。
【０１６５】
したがって、ジェット電子膨張弁が最大開度に達していないと検出された場合、現在の開度から開度を増加するようにジェット電子膨張弁を制御して、当該室外機の圧縮機の冷媒の流れる量を増やしてその排気温度を低下させる。
【０１６６】
本実施例において、ジェット電子膨張弁の開度が最小開度に達しているか否かを判断することによって、当該ジェット電子膨張弁を引き続き閉じることができるか否かを判断する。これにより、ジェット電子膨張弁の制御の正確さを向上するとともに、ジェット電子膨張弁およびシステム全体を保護する作用を奏する。
【０１６７】
さらに、別の実施例において、前記マルチ式空気調和機の制御プログラムが前記プロセッサ１０２によって実行される場合、下記の方法のステップ、すなわち、
各前記室外機の圧縮機の排気温度を取得するステップと、
各前記室外機の圧縮機の排気温度が所定範囲にあるか否かを判断するステップと、
前記室外機の圧縮機の排気温度が所定範囲を超える場合、故障信号を発するステップと、をさらに含む。
【０１６８】
本実施例において、各前記室外機の圧縮機の排気温度を取得し、各室外機の圧縮機の排気温度が所定範囲にあるか否かを判断し、前記圧縮機の排気温度が所定範囲を超える場合、故障信号を発する。当該所定範囲は、圧縮機の通常稼動状態での排気温度範囲であり、具体的には、システムの実際の状況に応じて設定されてもよい。
【０１６９】
各圧縮機の排気温度が正常の所定範囲にあるか否かを検出することによって、圧縮機の故障時に迅速に警報を出し、圧縮機が故障したままで稼動するによって損害がさらに大きくなることを防止する。
【０１７０】
また、本発明の実施例は、マルチ式空気調和機の制御プログラムが記憶されているコンピュータ読み取り可能な記憶媒体をさらに提供する。前記マルチ式空気調和機の制御プログラムがプロセッサ１０２によって実行される場合、上記の実施例に記載の方法のステップが実現される
【０１７１】
上記は、本発明の好適な実施例に過ぎず、本発明の特許範囲を限定するものではない。本発明の明細書および添付図面の内容を利用してなされた均等な構成または均等なフローチャートの置換、または直接にまたは間接的にほかの関連する技術分野への適用は、同じく本発明の特許請求の範囲内に含まれる。
【図１】
2020514664.tif 000003
【図１Ａ】
2020514664.tif 000004
【図２】
2020514664.tif 000005
【図２Ａ】
2020514664.tif 000006
【図３】
2020514664.tif 000007
【図４】
2020514664.tif 000008
【図４Ａ】
2020514664.tif 000009
【図５】
2020514664.tif 000010
【図５Ａ】
2020514664.tif 000011
【図６】
2020514664.tif 000012
【図７】
2020514664.tif 000013
【図８】
2020514664.tif 000014
【図９】
2020514664.tif 000015
【図１０】
2020514664.tif 000016
【国際調査報告】
2020514664.tif 000017
2020514664.tif 000018
2020514664.tif 000019
2020514664.tif 000020
2020514664.tif 000021